(57)【要約】本開示は、飛行経路情報の報告方法および装置、情報決定方法および装置、基地局、無人機、並びにコンピュータ可読記憶媒体に関するものである。ここで、飛行経路情報の報告方法は、無人機飛行経路情報の内容を決定することであって、当該内容は、ＵＡＶの経路定位点、飛行速度、飛行高度、無人機飛行経路情報の報告時間、および無人機飛行経路情報を報告する時の無人機の位置と高度のうちの少なくとも１つを含むことと、無線リソース制御（ＲＲＣ）シグナリングを介して、無人機飛行経路情報を基地局に報告することと、を含む。本開示の実施例において、無人機飛行経路情報の内容を決定し、ＲＲＣシグナリングを介して無人機飛行経路情報を基地局に報告することにより、基地局は、当該内容に従って飛行関連情報を決定し、事前にハンドオーバを準備することができる。【選択図】図１
2021521562.tif 000002
【特許請求の範囲】
【請求項１】
無人機（ＵＡＶ）に適用される、飛行経路情報の報告方法であって、
無人機飛行経路情報の内容を決定することであって、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含むことと、
無線リソース制御（ＲＲＣ）シグナリングを介して、前記無人機飛行経路情報を基地局に報告することと、を含むことを特徴とする、前記飛行経路情報の報告方法。
【請求項２】
前記内容は、前記無人機飛行経路情報の伝送が完了したか否かを指示する指示ビットをさらに含み、前記方法は、
前記指示ビットに従って統計された前記無人機飛行経路情報の伝送データ量がプリセットされた閾値より大きい場合、前記基地局に関連する部分的な飛行経路情報を前記基地局に送信することをさらに含むことを特徴とする、
請求項１に記載の飛行経路情報の報告方法。
【請求項３】
前記ＲＲＣシグナリングは、ユーザ機器（ＵＥ）補助情報シグナリングまたはＵＥ情報応答シグナリングを含むことを特徴とする、
請求項１に記載の飛行経路情報の報告方法。
【請求項４】
基地局に適用される、情報決定方法であって、
無人機（ＵＡＶ）によって報告される無人機飛行経路情報を受信することであって、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含むことと、
前記無人機飛行経路情報に従って飛行関連情報を決定することであって、前記飛行関連情報は、前記ＵＡＶの飛行経路、ハンドオーバされるサービング基地局の識別子、およびハンドオーバ期間のうちの少なくとも１つを含むことと、を含むことを特徴とする、前記情報決定方法。
【請求項５】
前記無人機飛行経路情報の内容が前記ＵＡＶの経路定位点を含む場合、前記無人機飛行経路情報に従って飛行関連情報を決定することは、
前記無人機飛行経路情報に従って、前記ＵＡＶの飛行経路を決定することを含むことを特徴とする、
請求項４に記載の情報決定方法。
【請求項６】
前記無人機飛行経路情報の内容が、前記ＵＡＶの飛行速度、および前記無人機飛行経路情報を報告する時の前記無人機の位置と高度を含む場合、前記無人機飛行経路情報に従って飛行関連情報を決定することは、
前記無人機飛行経路情報に従って、前記ハンドオーバされるサービング基地局の識別子および前記ハンドオーバ期間を決定することを含むことを特徴とする、
請求項４に記載の情報決定方法。
【請求項７】
前記無人機飛行経路情報の内容が前記ＵＡＶの飛行高度を含む場合、前記無人機飛行経路情報に従って飛行関連情報を決定することは、
前記無人機飛行経路情報に従って、前記ハンドオーバされるサービング基地局の識別子を決定することを含むことを特徴とする、
請求項４に記載の情報決定方法。
【請求項８】
前記無人機飛行経路情報の内容が、前記ＵＡＶの飛行速度、前記報告時間、および前記無人機飛行経路情報を報告する時の前記ＵＡＶの位置を含む場合、前記無人機飛行経路情報に従って飛行関連情報を決定することは、
前記無人機飛行経路情報に従って、前記無人機飛行経路情報を報告した後の前記ＵＡＶの飛行経路を決定することを含むことを特徴とする、
請求項４に記載の情報決定方法。
【請求項９】
無人機（ＵＡＶ）に適用される、飛行経路情報の報告装置であって、
無人機飛行経路情報の内容を決定するように構成される決定モジュールであって、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含む、決定モジュールと、
無線リソース制御（ＲＲＣ）シグナリングを介して、前記決定モジュールによって決定された前記無人機飛行経路情報を基地局に報告するように構成される報告モジュールと、を備えることを特徴とする、前記飛行経路情報の報告装置。
【請求項１０】
前記内容は、前記無人機飛行経路情報の伝送が完了したか否かを指示する指示ビットをさらに含み、前記装置は、
前記指示ビットに従って統計された前記無人機飛行経路情報の伝送データ量がプリセットされた閾値より大きい場合、前記基地局に関連する部分的な飛行経路情報を前記基地局に送信するように構成される送信モジュールをさらに備えることを特徴とする、
請求項９に記載の飛行経路情報の報告装置。
【請求項１１】
前記ＲＲＣシグナリングは、ＵＥ補助情報シグナリングまたはＵＥ情報応答シグナリングを含むことを特徴とする、
請求項９に記載の飛行経路情報の報告装置。
【請求項１２】
基地局に適用される、情報決定装置であって、
無人機（ＵＡＶ）によって報告される無人機飛行経路情報を受信するように構成される受信モジュールであって、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含む、受信モジュールと、
前記受信モジュールによって受信された前記無人機飛行経路情報に従って、飛行関連情報を決定するように構成される情報決定モジュールであって、前記飛行関連情報は、前記ＵＡＶの飛行経路、ハンドオーバされるサービング基地局の識別子、およびハンドオーバ期間のうちの少なくとも１つを含む、情報決定モジュールと、を備えることを特徴とする、前記情報決定装置。
【請求項１３】
前記無人機飛行経路情報の内容が前記ＵＡＶの経路定位点を含む場合、前記情報決定モジュールは、
前記無人機飛行経路情報に従って、前記ＵＡＶの飛行経路を決定するように構成される第１決定サブモジュールを備えることを特徴とする、
請求項１２に記載の情報決定装置。
【請求項１４】
前記無人機飛行経路情報の内容が、前記ＵＡＶの飛行速度、および前記無人機飛行経路情報を報告する時の前記無人機の位置と高度を含む場合、前記情報決定モジュールは、
前記無人機飛行経路情報に従って、前記ハンドオーバされるサービング基地局の識別子および前記ハンドオーバ期間を決定するように構成される第２決定サブモジュールを備えることを特徴とする、
請求項１２に記載の情報決定装置。
【請求項１５】
前記無人機飛行経路情報の内容が前記ＵＡＶの飛行高度を含む場合、前記情報決定モジュールは、
前記無人機飛行経路情報に従って、前記ハンドオーバされるサービング基地局の識別子を決定するように構成される第３決定サブモジュールを備えることを特徴とする、
請求項１２に記載の情報決定装置。
【請求項１６】
前記無人機飛行経路情報の内容が、前記ＵＡＶの飛行速度、前記報告時間、および前記無人機飛行経路情報を報告する時の前記ＵＡＶの位置を含む場合、前記情報決定モジュールは、
前記無人機飛行経路情報に従って、前記無人機飛行経路情報を報告した後の前記ＵＡＶの飛行経路を決定するように構成される第４決定サブモジュールを備えることを特徴とする、
請求項１２に記載の情報決定装置。
【請求項１７】
無人機であって、
プロセッサと、
プロセッサ実行可能な命令を記憶するように構成されるメモリと、を備え、
前記プロセッサは、
無人機飛行経路情報の内容を決定し、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含み、
無線リソース制御（ＲＲＣ）シグナリングを介して、前記無人機飛行経路情報を基地局に報告するように構成されることを特徴とする、前記無人機。
【請求項１８】
基地局であって、
プロセッサと、
プロセッサ実行可能な命令を記憶するように構成されるメモリと、を備え、
前記プロセッサは、
無人機（ＵＡＶ）によって報告される無人機飛行経路情報を受信し、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含み、
前記無人機飛行経路情報に従って飛行関連情報を決定するように構成され、前記飛行関連情報は、前記ＵＡＶの飛行経路、ハンドオーバされるサービング基地局の識別子、およびハンドオーバ期間のうちの少なくとも１つを含むことを特徴とする、前記基地局。
【請求項１９】
コンピュータ命令が記憶され、前記命令がプロセッサによって実行されると、請求項１ないし３のいずれか一項に記載の飛行経路情報の報告方法のステップを実現する、コンピュータ可読記憶媒体。
【請求項２０】
コンピュータ命令が記憶され、前記命令がプロセッサによって実行されると、請求項４ないし８のいずれか一項に記載の情報決定方法のステップを実現する、コンピュータ可読記憶媒体。
【発明の詳細な説明】
【技術分野】
【０００１】
本開示は、通信技術分野に関し、特に、飛行経路情報の報告方法および装置、情報決定方法および装置、基地局、無人機、並びにコンピュータ可読記憶媒体に関するものである。
【背景技術】
【０００２】
無人航空機（ＵＡＶ：Ｕｎｍａｎｎｅｄ  Ａｅｒｉａｌ  Ｖｅｈｉｃｌｅ）は、無人機と略称され、無線遠隔制御機器および独自のプログラム制御装置によって制御される無人航空機である。無人機は、実際には無人運転航空機の総称であり、技術的な観点からは、無人固定翼航空機、無人垂直離着陸航空機、無人飛行船、無人ヘリコプター、無人マルチローター航空機、および無人パラウイング航空機などに分けることができる。
【０００３】
無人機技術の急速な発展、コストの削減、およびその機能の向上に伴い、無人機は、生活のあらゆる面でますます使用されている。現在、航空写真、農業、植物保護、ミニ自撮り、速達輸送、災害救助、野生動物の観察、伝染病の監視、調査とマッピング、電力検査、災害救援、映画とテレビの撮影、ロマンスのためのイベントなどの様々な分野で無人機が使用され、無人機自体の用途は大幅に拡張されており、各国では、積極的に、無人機の産業応用を拡張し、無人機技術を開発している。
【０００４】
無人機の応用範囲を一層拡張するために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、研究と標準化を目的として、セルラーネットワークが無人機の需要を満たすサービスを提供できる、航空機のサポートの強化（Ｅｎｈａｎｃｅｄ  Ｓｕｐｐｏｒｔ  ｆｏｒ  Ａｅｒｉａｌ  Ｖｅｈｉｃｌｅｓ）というプロジェクトを可決した。
【０００５】
無人機飛行には、通常、２つのモードがある。そのうちの１つは固定モードであり、操縦者がコントローラで無人機の飛行ルートを計画することにより、無人機は、計画されたルートに従って飛行でき、コントローラは、無人機を常に制御する必要はない。固定モードの場合、無人機の飛行ルートおよび軌跡が固定されているため、セルラーネットワークは、無人機が経由するセルラーネットワーク基地局を予測できる。ただし、セルラーネットワーク無人機の飛行経路情報の内容をさらに決定する必要がある。
【発明の概要】
【発明が解決しようとする課題】
【０００６】
これを鑑みて、本願は、セルラーネットワーク無人機が報告する必要がある飛行経路情報の内容を決定するための飛行経路情報の報告方法および装置、情報決定方法および装置、基地局、無人機、並びにコンピュータ可読記憶媒体を開示し、これにより、基地局が、前記内容に従って飛行関連情報を決定し、事前にハンドオーバを準備することができる。
【課題を解決するための手段】
【０００７】
本開示の実施例の第１態様によれば、無人機（ＵＡＶ）に適用される飛行経路情報の報告方法を提供し、前記方法は、
無人機飛行経路情報の内容を決定することであって、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含むことと、
無線リソース制御（ＲＲＣ）シグナリングを介して、前記無人機飛行経路情報を基地局に報告することと、を含む。
【０００８】
一実施例では、前記内容は、前記無人機飛行経路情報の伝送が完了したか否かを指示する指示ビットをさらに含み、前記方法は、
前記指示ビットに従って統計された前記無人機飛行経路情報の伝送データ量がプリセットされた閾値より大きい場合、前記基地局に関連する部分的な飛行経路情報を前記基地局に送信することをさらに含む。
【０００９】
一実施例では、前記ＲＲＣシグナリングは、補助情報シグナリングまたは情報応答シグナリングを含む。
【００１０】
本開示の実施例の第２態様によれば、基地局に適用される情報決定方法を提供し、前記方法は、
無人機（ＵＡＶ）によって報告される無人機飛行経路情報を受信することであって、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含むことと、
前記無人機飛行経路情報に従って飛行関連情報を決定することであって、前記飛行関連情報は、前記ＵＡＶの飛行経路、ハンドオーバされるサービング基地局の識別子、およびハンドオーバ期間のうちの少なくとも１つを含むことと、を含む。
【００１１】
一実施例では、前記無人機飛行経路情報の内容が前記ＵＡＶの経路定位点を含む場合、前記無人機飛行経路情報に従って飛行関連情報を決定することは、
前記無人機飛行経路情報に従って、前記ＵＡＶの飛行経路を決定することを含む。
【００１２】
一実施例では、前記無人機飛行経路情報の内容が、前記ＵＡＶの飛行速度、および前記無人機飛行経路情報を報告する時の前記無人機の位置と高度を含む場合、前記無人機飛行経路情報に従って飛行関連情報を決定することは、
前記無人機飛行経路情報に従って、前記ハンドオーバされるサービング基地局の識別子および前記ハンドオーバ期間を決定することを含む。
【００１３】
一実施例では、前記無人機飛行経路情報の内容が前記ＵＡＶの飛行高度を含む場合、前記無人機飛行経路情報に従って飛行関連情報を決定することは、
前記無人機飛行経路情報に従って、前記ハンドオーバされるサービング基地局の識別子を決定することを含む。
【００１４】
一実施例では、前記無人機飛行経路情報の内容が、前記ＵＡＶの飛行速度、前記報告時間、および前記無人機飛行経路情報を報告する時の前記ＵＡＶの位置を含む場合、前記無人機飛行経路情報に従って飛行関連情報を決定することは、
前記無人機飛行経路情報に従って、前記無人機飛行経路情報を報告した後の前記ＵＡＶの飛行経路を決定することを含む。
【００１５】
本開示の実施例の第３態様によれば、無人機（ＵＡＶ）に適用される飛行経路情報の報告装置を提供し、前記装置は、
無人機飛行経路情報の内容を決定するように構成される決定モジュールであって、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含む、決定モジュールと、
無線リソース制御（ＲＲＣ）シグナリングを介して、前記決定モジュールによって決定された前記無人機飛行経路情報を基地局に報告するように構成される報告モジュールと、を備える。
【００１６】
一実施例では、前記内容は、前記無人機飛行経路情報の伝送が完了したか否かを指示する指示ビットをさらに含み、前記装置は、
前記指示ビットに従って統計された前記無人機飛行経路情報の伝送データ量がプリセットされた閾値より大きい場合、前記基地局に関連する部分的な飛行経路情報を前記基地局に送信するように構成される送信モジュールをさらに備える。
【００１７】
一実施例では、前記ＲＲＣシグナリングは、ＵＥ補助情報シグナリングまたはＵＥ情報応答シグナリングを含む。
【００１８】
本開示の実施例の第４態様によれば、基地局に適用される情報決定装置を提供し、前記装置は、
無人機（ＵＡＶ）によって報告される無人機飛行経路情報を受信するように構成される受信モジュールであって、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含む、受信モジュールと、
前記受信モジュールによって受信された前記無人機飛行経路情報に従って、飛行関連情報を決定するように構成される情報決定モジュールであって、前記飛行関連情報は、前記ＵＡＶの飛行経路、ハンドオーバされるサービング基地局の識別子、およびハンドオーバ期間のうちの少なくとも１つを含む、情報決定モジュールと、を備える。
【００１９】
一実施例では、前記無人機飛行経路情報の内容が前記ＵＡＶの経路定位点を含む場合、前記情報決定モジュールは、
前記無人機飛行経路情報に従って、前記ＵＡＶの飛行経路を決定するように構成される第１決定サブモジュールを備える。
【００２０】
一実施例では、前記無人機飛行経路情報の内容が、前記ＵＡＶの飛行速度、および前記無人機飛行経路情報を報告する時の前記ＵＡＶの位置と高度を含む場合、前記情報決定モジュールは、
前記無人機飛行経路情報に従って、前記ハンドオーバされるサービング基地局の識別子および前記ハンドオーバ期間を決定するように構成される第２決定サブモジュールを備える。
【００２１】
一実施例では、前記無人機飛行経路情報の内容が前記ＵＡＶの飛行高度を含む場合、前記情報決定モジュールは、
前記無人機飛行経路情報に従って、前記ハンドオーバされるサービング基地局の識別子を決定するように構成される第３決定サブモジュールを備える。
【００２２】
一実施例では、前記無人機飛行経路情報の内容が、前記ＵＡＶの飛行速度、前記報告時間、および前記無人機飛行経路情報を報告する時の前記ＵＡＶの位置を含む場合、前記情報決定モジュールは、
前記無人機飛行経路情報に従って、前記無人機飛行経路情報を報告した後の前記ＵＡＶの飛行経路を決定するように構成される第４決定サブモジュールを備える。
【００２３】
本開示の実施例の第５態様によれば、無人機を提供し、前記無人機は、
プロセッサと、
プロセッサ実行可能な命令を記憶するように構成されるメモリと、を備え、
前記プロセッサは、
無人機飛行経路情報の内容を決定し、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含み、
無線リソース制御（ＲＲＣ）シグナリングを介して、前記無人機飛行経路情報を基地局に報告するように構成される。
【００２４】
本開示の実施例の第６態様によれば、基地局を提供し、前記基地局は、
プロセッサと、
プロセッサ実行可能な命令を記憶するように構成されるメモリと、を備え、
前記プロセッサは、
無人機（ＵＡＶ）によって報告される無人機飛行経路情報を受信し、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含み、
前記無人機飛行経路情報に従って飛行関連情報を決定するように構成され、前記飛行関連情報は、前記ＵＡＶの飛行経路、ハンドオーバされるサービング基地局の識別子、およびハンドオーバ期間のうちの少なくとも１つを含む。
【００２５】
本開示の実施例の第７態様によれば、コンピュータ命令が記憶されたコンピュータ可読記憶媒体を提供し、前記命令がプロセッサによって実行されると、上記の飛行経路情報の報告方法のステップを実現する。
【００２６】
本開示の実施例の第８態様によれば、コンピュータ命令が記憶されたコンピュータ可読記憶媒体を提供し、前記命令がプロセッサによって実行されると、上記の情報決定方法のステップを実現する。
【発明の効果】
【００２７】
本開示の実施例による技術的解決策は、以下の有益な効果を含み得る。
【００２８】
無人機飛行経路情報の内容を決定し、ＲＲＣシグナリングを介して無人機飛行経路情報を基地局に報告することにより、基地局は、前記内容に従って飛行関連情報を決定し、事前にハンドオーバを準備することができる。
【００２９】
ＵＡＶによって報告される無人機飛行経路情報を受信し、無人機飛行経路情報に従って飛行関連情報を決定することにより、事前にハンドオーバを準備することができる。
【００３０】
上記の一般的な説明および後述する詳細な説明は、単なる例示および説明に過ぎず、本開示を限定するものではないことを理解されたい。
【図面の簡単な説明】
【００３１】
ここでの図面は、本明細書に組み込まれてその一部を構成し、本発明と一致する実施例を示し、明細書とともに本発明の原理を説明するために使用される。
【図１】本願の一例示的な実施例による飛行経路情報の報告方法を示すフローチャートである。
【図２】本願の一例示的な実施例による情報決定方法を示すフローチャートである。
【図３】本願の一例示的な実施例による情報決定方法におけるシグナリングのフローチャートである。
【図４】一例示的な実施例による飛行経路情報の報告装置を示すブロック図である。
【図５】一例示的な実施例による別の飛行経路情報の報告装置を示すブロック図である。
【図６】一例示的な実施例による情報決定装置を示すブロック図である。
【図７】一例示的な実施例による別の情報決定装置を示すブロック図である。
【図８】一例示的な実施例によるさらに別の情報決定装置を示すブロック図である。
【図９】一例示的な実施例によるさらに別の情報決定装置を示すブロック図である。
【図１０】一例示的な実施例によるさらに別の情報決定装置を示すブロック図である。
【図１１】一例示的な実施例による飛行経路情報の報告装置を示すブロック図である。
【図１２】一例示的な実施例による情報決定装置を示すブロック図である。
【発明を実施するための形態】
【００３２】
ここで、例示的な実施例について詳細に説明し、その例を図面に示す。特に明記されていない限り、以下の説明が図面に関する場合、異なる図面の同じ数字は同じまたは類似の要素を表す。以下の例示的な実施例で説明された実施形態は、本発明と一致するすべての実施形態を表すものではない。むしろ、それらは、添付された特許請求に詳述されたように、本発明の特定の態様と一致する装置および方法の例である。
【００３３】
図１は、本願の一例示的な実施例による飛行経路情報の報告方法を示すフローチャートであり、当該実施例は、ＵＡＶ側から説明され、図１に示されるように、前記飛行経路情報の報告方法は、以下のステップを含む。
【００３４】
ステップＳ１０１において、無人機飛行経路情報の内容を決定し、前記内容は、ＵＡＶの経路定位点、飛行速度、飛行高度、無人機飛行経路情報の報告時間、および無人機飛行経路情報を報告する時の無人機の位置と高度のうちの少なくとも１つを含む。
【００３５】
当該実施例では、無人機飛行経路情報の内容は、ＵＡＶの経路定位点、飛行速度、飛行高度、無人機飛行経路情報の報告時間、および無人機飛行経路情報を報告する時の無人機の位置と高度のうちの少なくとも１つを含むことができ、ここで、ＵＡＶの経路定位点は、グローバルポジショニングシステム（ＧＰＳ）座標であり得る。上記の飛行高度は、基地局のカバレッジエリアにおけるＵＡＶの設定された飛行高度を指し、例えば、基地局１のカバレッジエリアにおけるＵＡＶの設定された飛行高度が１００メートル、基地局２のカバレッジエリアにおけるＵＡＶの設定された飛行高度が２００メートルである。無人機飛行経路情報を報告する時の無人機の高度は、無人機飛行経路情報を報告する時点での無人機の高度を指し、例えば、無人機飛行経路情報を報告する時に無人機が基地局２にある場合、無人機飛行経路情報を報告する時の無人機の高度は２００メートルである。
【００３６】
また、無人機飛行経路情報の内容は、無人機飛行経路情報の伝送が完了したか否かを指示する指示ビットをさらに含み得る。
【００３７】
ステップＳ１０２において、無線リソース制御（ＲＲＣ）シグナリングを介して、無人機飛行経路情報を基地局に報告する。
【００３８】
ここで、ＲＲＣシグナリングは、ＵＥ補助情報（ＵＥＡｓｓｉｓｔａｎｃｅＩｎｆｏｒｍａｔｉｏｎ）シグナリングまたはＵＥ情報応答（ＵＥＩｎｆｏｒｍａｔｉｏｎＲｅｓｐｏｎｓｅ）シグナリングなどであってもよいが、これらに限定されるものではない。
【００３９】
例示的に、無人機飛行経路情報の内容が、無人機飛行経路情報の伝送が完了したか否かを指示する指示ビットを含む場合、ＵＡＶは、前記指示ビットに従って統計された無人機飛行経路情報の伝送データ量がプリセットされた閾値より大きい場合、現在のサービング基地局に関連する部分的な飛行経路情報を、現在のサービング基地局に送信する。つまり、ＵＡＶの飛行経路が比較的長い場合、報告する必要のある飛行経路情報のビット数は大きいため、ＵＡＶは、現在のサービングに関連する１つまたは複数の特定のセグメントの飛行経路情報のみを、現在のサービング基地局に報告することにより、伝送されるデータ量を削減し、システムのエネルギ消費を削減することができる。
【００４０】
上記の実施例において、無人機飛行経路情報の内容を決定し、ＲＲＣシグナリングを介して無人機飛行経路情報を基地局に報告することにより、基地局は、前記内容に従って飛行関連情報を決定し、事前にハンドオーバを準備することができる。
【００４１】
図２は、本願の一例示的な実施例による情報決定方法を示すフローチャートであり、当該実施例は、基地局側から説明され、図２に示されるように、前記方法は以下のステップを含む。
【００４２】
ステップＳ２０１において、ＵＡＶによって報告される無人機飛行経路情報を受信し、前記無人機飛行経路情報の内容は、ＵＡＶの経路定位点、飛行速度、飛行高度、無人機飛行経路情報の報告時間、および無人機飛行経路情報を報告する時の無人機の位置と高度のうちの少なくとも１つを含む。
【００４３】
ステップＳ２０２において、無人機飛行経路情報に従って飛行関連情報を決定し、前記飛行関連情報は、ＵＡＶの飛行経路、ハンドオーバされるサービング基地局の識別子、およびハンドオーバ期間のうちの少なくとも１つを含む。
【００４４】
ここで、ＵＡＶの飛行経路は、無人機飛行経路情報を報告した後のＵＡＶの飛行経路を含む。
【００４５】
当該実施例では、無人機飛行経路情報の内容がＵＡＶの経路定位点を含む場合、基地局は、前記無人機飛行経路情報に従ってＵＡＶの飛行経路を決定できる。無人機飛行経路情報の内容が、ＵＡＶの飛行速度、および無人機飛行経路情報を報告する時の無人機の位置と高度を含む場合、基地局は、無人機飛行経路情報に従って、ハンドオーバされるサービング基地局の識別子およびハンドオーバ期間を決定できる。無人機飛行経路情報の内容がＵＡＶの飛行高度を含む場合、基地局は、無人機飛行経路情報に従って、ハンドオーバされるサービング基地局の識別子を決定できる。無人機飛行経路情報の内容が、ＵＡＶの飛行速度、報告時間、および無人機飛行経路情報を報告する時の無人機の位置と高度を含む場合、基地局は、無人機飛行経路情報に従って、無人機飛行経路情報を報告した後のＵＡＶの飛行経路を決定できる。
【００４６】
上記の実施例において、ＵＡＶによって報告される無人機飛行経路情報を受信し、無人機飛行経路情報に従って飛行関連情報を決定することにより、事前にハンドオーバを準備することができる。
【００４７】
図３は、本願の一例示的な実施例による情報決定方法におけるシグナリングのフローチャートであり、当該実施例は、基地局とＵＡＶとのインタラクションの観点から説明され、図３に示されるように、前記方法は以下のステップを含む。
【００４８】
ステップＳ３０１において、ＵＡＶが、無人機飛行経路情報の内容を決定し、前記内容は、ＵＡＶの経路定位点、飛行速度、飛行高度、無人機飛行経路情報の報告時間、および無人機飛行経路情報を報告する時の無人機の位置と高度のうちの少なくとも１つを含む。
【００４９】
ステップＳ３０２において、ＵＡＶが、ＲＲＣシグナリングを介して、無人機飛行経路情報を基地局に報告する。
【００５０】
ステップＳ３０３において、基地局が、ＵＡＶによって報告された無人機飛行経路情報を受信する。
【００５１】
ステップＳ３０４において、基地局が、前記無人機飛行経路情報に従って飛行関連情報を決定し、前記飛行関連情報は、ＵＡＶの飛行経路、ハンドオーバされるサービング基地局の識別子、およびハンドオーバ期間のうちの少なくとも１つを含む。
【００５２】
上記の実施例において、基地局とＵＡＶとの間のインタラクションにより、基地局は、ＵＡＶによって報告される無人機飛行経路情報に従って飛行関連情報を決定し、事前にハンドオーバを準備することができる。
【００５３】
図４は、一例示的な実施例による飛行経路情報の報告装置を示すブロック図であり、前記装置は、ＵＡＶに配置されることができ、図４に示されるように、前記装置は、決定モジュール４１と、報告モジュール４２とを備える。
【００５４】
決定モジュール４１は、無人機飛行経路情報の内容を決定するように構成され、前記内容は、ＵＡＶの経路定位点、飛行速度、飛行高度、無人機飛行経路情報の報告時間、および無人機飛行経路情報を報告する時の無人機の位置と高度高度のうちの少なくとも１つを含む。
【００５５】
当該実施例では、無人機飛行経路情報の内容は、ＵＡＶの経路定位点、飛行速度、飛行高度、無人機飛行経路情報の報告時間、および無人機飛行経路情報が報告された時の無人機の位置と高度のうちの少なくとも１つを含むことができ、ここで、ＵＡＶの経路定位点は、グローバルポジショニングシステム（ＧＰＳ）座標であり得る。
【００５６】
また、無人機飛行経路情報の内容は、無人機飛行経路情報の伝送が完了したか否かを指示する指示ビットをさらに含み得る。
【００５７】
報告モジュール４２は、ＲＲＣシグナリングを介して、決定モジュール４１によって決定される無人機飛行経路情報を基地局に報告するように構成される。
【００５８】
ここで、ＲＲＣシグナリングは、ＵＥ補助情報（ＵＥ  Ａｓｓｉｓｔａｎｃｅ  Ｉｎｆｏｒｍａｔｉｏｎ）シグナリングまたはＵＥ情報応答（ＵＥ  Ｉｎｆｏｒｍａｔｉｏｎ  Ｒｅｓｐｏｎｓｅ）シグナリングなどであってもよいが、これらに限定されるものではない。
【００５９】
上記の実施例において、無人機飛行経路情報の内容を決定し、ＲＲＣシグナリングを介して無人機飛行経路情報を基地局に報告することにより、基地局は、前記内容に従って飛行関連情報を決定し、事前にハンドオーバを準備することができる。
【００６０】
図５は、一例示的な実施例による別の飛行経路情報の報告装置を示すブロック図であり、当該実施例では、上記の無人機飛行経路情報の内容は、無人機飛行経路情報の伝送が完了したか否かを指示する指示ビットをさらに含むことができ、図５に示されるように、上記の図４に示される実施例に加えて、前記装置は、送信モジュール４３をさらに備えることができる。
【００６１】
送信モジュール４３は、指示ビットに従って統計された無人機飛行経路情報の伝送データ量がプリセットされた閾値より大きい場合、基地局に関連する部分的な飛行経路情報を基地局に送信するように構成される。
【００６２】
例示的に、無人機飛行経路情報の内容が、無人機飛行経路情報の伝送が完了したか否かを指示する指示ビットを含む場合、ＵＡＶは、前記指示ビットに従って統計された無人機飛行経路情報の伝送データ量がプリセットされた閾値より大きい場合、現在のサービング基地局に関連する部分的な飛行経路情報を、現在のサービング基地局に送信する。つまり、ＵＡＶの飛行経路が比較的に長い場合、報告する必要のある飛行経路情報のビット数は大きいため、ＵＡＶは、現在のサービングに関連する１つまたは複数の特定のセグメントの飛行経路情報のみを、現在のサービング基地局に報告することにより、伝送されるデータ量を削減し、システムのエネルギ消費を削減することができる。
【００６３】
上記の実施例において、指示ビットが、無人機飛行経路情報の伝送データ量がプリセットされた閾値より大きいことを指示する場合、基地局に関連する部分的な飛行経路情報を基地局に送信することにより、伝送されるデータ量を削減し、システムのエネルギ消費を削減することができる。
【００６４】
図６は、一例示的な実施例による情報決定装置を示すブロック図であり、当該装置は、基地局に配置されることができ、図６に示されるように、前記装置は、受信モジュール６１と、情報決定モジュール６２とを備える。
【００６５】
受信モジュール６１は、無人機（ＵＡＶ）によって報告される無人機飛行経路情報を受信するように構成され、無人機飛行経路情報の内容は、ＵＡＶの経路定位点、飛行速度、飛行高度、無人機飛行経路情報の報告時間、および無人機飛行経路情報を報告する時の無人機の位置と高度のうちの少なくとも１つを含む。
【００６６】
情報決定モジュール６２は、受信モジュール６１によって受信された無人機飛行経路情報に従って、飛行関連情報を決定するように構成され、飛行関連情報は、ＵＡＶの飛行経路、ハンドオーバされるサービング基地局の識別子、およびハンドオーバ期間のうちの少なくとも１つを含む。
【００６７】
ここで、ＵＡＶの飛行経路は、無人機飛行経路情報を報告した後のＵＡＶの飛行経路を含む。
【００６８】
当該実施例では、無人機飛行経路情報の内容がＵＡＶの経路定位点を含む場合、基地局は、前記無人機飛行経路情報に従ってＵＡＶの飛行経路を決定できる。無人機飛行経路情報の内容が、ＵＡＶの飛行速度、および無人機飛行経路情報を報告する時の無人機の位置と高度を含む場合、基地局は、無人機飛行経路情報に従って、ハンドオーバされるサービング基地局の識別子およびハンドオーバ期間を決定できる。無人機飛行経路情報の内容がＵＡＶの飛行高度を含む場合、基地局は、無人機飛行経路情報に従って、ハンドオーバされるサービング基地局の識別子を決定できる。無人機飛行経路情報の内容が、ＵＡＶの飛行速度、報告時間、および無人機飛行経路情報を報告する時の無人機の位置と高度を含む場合、基地局は、無人機飛行経路情報に従って、無人機飛行経路情報を報告した後のＵＡＶの飛行経路を決定できる。
【００６９】
上記の実施例において、ＵＡＶによって報告される無人機飛行経路情報を受信し、無人機飛行経路情報に従って飛行関連情報を決定することにより、事前にハンドオーバを準備することができる。
【００７０】
図７は、一例示的な実施例による別の情報決定装置を示すブロック図であり、図７に示されるように、上記の図６に示される実施例に加えて、無人機飛行経路情報の内容がＵＡＶの経路定位点を含む場合、情報決定モジュール６２は、第１決定サブモジュール６２１を備えることができる。
【００７１】
第１決定サブモジュール６２１は、無人機飛行経路情報に従ってＵＡＶの飛行経路を決定するように構成される。
【００７２】
当該実施例では、無人機飛行経路情報の内容がＵＡＶの経路定位点を含む場合、基地局は、前記無人機飛行経路情報に従ってＵＡＶの飛行経路を決定できる。
【００７３】
上記の実施例において、無人機飛行経路情報に従ってＵＡＶの飛行経路を決定することにより、飛行経路に応じて対応する動作を実行することができる。
【００７４】
図８は、一例示的な実施例によるさらに別の情報決定装置を示すブロック図であり、図８に示されるように、上記の図６に示される実施例に加えて、無人機飛行経路情報の内容が、ＵＡＶの飛行速度、無人機飛行経路情報を報告する時の無人機の位置と高度を含む場合、情報決定モジュール６２は、第２決定サブモジュール６２２を備えることができる。
【００７５】
第２決定サブモジュール６２２は、無人機飛行経路情報に従って、ハンドオーバされるサービング基地局の識別子およびハンドオーバ期間を決定するように構成される。
【００７６】
上記の実施例において、無人機飛行経路情報に従って、ハンドオーバされるサービング基地局の識別子およびハンドオーバ期間を決定することにより、事前にハンドオーバを準備することができる。
【００７７】
図９は、一例示的な実施例によるさらに別の情報決定装置を示すブロック図であり、図９に示されるように、上記の図６に示される実施例に加えて、無人機飛行経路情報の内容がＵＡＶの飛行高度を含む場合、情報決定モジュール６２は、第３決定サブモジュール６２３を備えることができる。
【００７８】
第３決定サブモジュール６２３は、無人機飛行経路情報に従って、ハンドオーバされるサービング基地局の識別子を決定するように構成される。
【００７９】
上記の実施例において、無人機飛行経路情報に従って、ハンドオーバされるサービング基地局の識別子を決定することにより、事前にハンドオーバを準備することができる。
【００８０】
図１０は、一例示的な実施例によるさらに別の情報決定装置を示すブロック図であり、図１０に示されるように、上記の図６に示される実施例に加えて、無人機飛行経路情報の内容が、ＵＡＶの飛行速度、報告時間、および無人機飛行経路情報を報告する時の無人機の位置を含む場合、情報決定モジュール６２は、第４決定サブモジュール６２４を備えることができる。
【００８１】
第４決定サブモジュール６２４は、無人機飛行経路情報に従って、無人機飛行経路情報を報告した後のＵＡＶの飛行経路を決定するように構成される。
【００８２】
上記の実施例において、無人機飛行経路情報に従って、無人機飛行経路情報を報告した後のＵＡＶの飛行経路を決定することにより、飛行経路に応じて対応する動作を実行することができる。
【００８３】
図１１は、一例示的な実施例による飛行経路情報の報告装置を示すブロック図である。例えば、装置１１００は、携帯電話、コンピュータ、デジタル放送端末、メッセージングデバイス、ゲームコンソール、タブレットデバイス、医療機器、フィットネス機器、無人機などのユーザ機器であってもよい。
【００８４】
図１１を参照すると、装置１１００は、処理コンポーネント１１０２、メモリ１１０４、電力コンポーネント１１０６、マルチメディアコンポーネント１１０８、オーディオコンポーネント１１１０、入力／出力（Ｉ／Ｏ）インターフェース１１１２、センサコンポーネント１１１４、及び通信コンポーネント１１１６のうちの１つまたは複数を含み得る。
【００８５】
処理コンポーネント１１０２は、一般に、ディスプレイ、電話の呼び出し、データ通信、カメラ操作、および記録操作に関する操作など、装置１１００の全体的な操作を制御する。処理コンポーネント１１０２は、上記方法のステップの全部または一部を完了するための命令を実行するための１つまたは複数のプロセッサ１１２０を含み得る。また、処理コンポーネント１１０２は、処理コンポーネント１１０２と他のコンポーネントとの間のインタラクションを容易にするための１つまたは複数のモジュールを含み得る。例えば、処理コンポーネント１１０２は、マルチメディアコンポーネント１１０８と処理コンポーネント１１０２との間のインタラクションを容易にするためのマルチメディアモジュールを含み得る。
【００８６】
処理コンポーネント１１０２のうちの１つのプロセッサ１１２０は、
無人機飛行経路情報の内容を決定し、前記内容は、ＵＡＶの経路定位点、飛行速度、飛行高度、無人機飛行経路情報の報告時間、および無人機飛行経路情報を報告する時の無人機の位置と高度のうちの少なくとも１つを含み、
無線リソース制御（ＲＲＣ）シグナリングを介して、無人機飛行経路情報を基地局に報告するように構成される。
【００８７】
メモリ１１０４は、装置１１００での動作をサポートするための様々なタイプのデータを記憶するように構成される。これらのデータの例には、装置１１００で動作する任意のアプリケーションまたは方法の命令、連絡先データ、電話帳データ、メッセージ、写真、ビデオ等が含まれる。メモリ１１０４は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、磁気メモリ、フラッシュメモリ、磁気ディスクまたは光ディスクなど、あらゆるタイプの揮発性または不揮発性ストレージデバイスまたはそれらの組み合わせによって実現されることができる。
【００８８】
電力コンポーネント１１０６は、装置１１００の様々なコンポーネントに電力を供給する。電力コンポーネント１１０６は、電力管理システム、１つまたは複数の電源、および装置１１００の電力の生成、管理、および分配に関する他のコンポーネントを含み得る。
【００８９】
マルチメディアコンポーネント１１０８は、装置１１００とユーザとの間で出力インターフェースとして提供されるスクリーンを含む。いくつかの実施例では、スクリーンは、液晶ディスプレイ（ＬＣＤ）およびタッチパネル（ＴＰ）を含み得る。スクリーンがタッチパネルを含む場合、スクリーンは、ユーザからの入力信号を受信するためのタッチスクリーンとして実現できる。タッチパネルは、タッチ、スワイプ、およびタッチパネルでのジェスチャを検知するための１つまたは複数のタッチセンサを含む。タッチセンサは、タッチまたはスワイプ動作の境界を感知するだけでなく、タッチまたはスワイプ動作に関連する持続時間および圧力も検出する。いくつかの実施例では、マルチメディアコンポーネント１１０８は、１つのフロントカメラおよび／またはリアカメラを含む。装置１１００が、撮影モードまたはビデオモードなどの動作モードにある場合、フロントカメラおよび／またはリアカメラは、外部のマルチメディアデータを受信できる。各フロンドカメラおよびリアカメラは、固定光学レンズシステムであってもよく、焦点距離および光学ズーム機能を有するものであってもよい。
【００９０】
オーディオコンポーネント１１１０は、オーディオ信号を出力および／または入力するように構成される。例えば、オーディオコンポーネント１１１０は、１つのマイクロフォン（ＭＩＣ）を含み、マイクロフォンは、装置１１００が通話モード、録音モード、および音声認識モードなどの動作モードにある場合、外部オーディオ信号を受信するように構成される。受信されたオーディオ信号は、メモリ１１０４にさらに記憶されるか、または通信コンポーネント１１１６によって送信されることができる。いくつかの実施例では、オーディオコンポーネント１１１０は、オーディオ信号を出力するためのスピーカをさらに含む。
【００９１】
Ｉ／Ｏインターフェース１１１２は、処理コンポーネント１１０２と周辺インターフェースモジュールとの間にインターフェースを提供し、前記周辺インターフェースモジュールは、キーボード、クリックホイール、ボタンなどであり得る。これらのボタンは、ホームボタン、音量ボタン、スタートボタン、およびロックボタンなどを含んでもよいが、これらに限定されない。
【００９２】
センサコンポーネント１１１４は、装置１１００に各態様の状態評価を提供するための１つまたは複数のセンサを含む。例えば、センサコンポーネント１１１４は、装置１１００のオン／オフ状態と、装置１１００のディスプレイやキーパッドなどのコンポーネントの相対的な位置づけを検出することができ、センサコンポーネント４１４は、装置１１００または装置１１００のコンポーネントの位置の変化、ユーザとの装置１１００の接触の有無、装置１１００の向きまたは加速／減速、及び装置１１００の温度の変化も検出することができる。センサコンポーネント１１１４は、物理的接触なしに近くの物体の存在を検出するように構成される近接センサを含み得る。センサコンポーネント１１１４はまた、撮像用途で使用するための、ＣＭＯＳまたはＣＣＤ画像センサなどの光センサを含み得る。いくつかの実施例では、前記センサコンポーネント１１１４はまた、加速度センサ、ジャイロスコープセンサ、磁気センサ、圧力センサ、または温度センサを含み得る。
【００９３】
通信コンポーネント１１１６は、装置１１００と他の機器との間の有線または無線通信を容易にするように構成される。装置１１００は、ＷｉＦｉ、２Ｇまたは３Ｇ、またはそれらの組み合わせなどの通信規格に基づく無線ネットワークにアクセスすることができる。一例示的な実施例では、通信コンポーネント１１１６は、放送チャネルを介して外部放送管理システムからの放送信号または放送関連情報を受信する。一例示的な実施例では、通信コンポーネント１１１６は、近距離通信を促進するための近距離通信（ＮＦＣ）モジュールをさらに含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて実現できる。
【００９４】
例示的な実施例において、装置１１００は、上記の方法を実行するように、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子によって実現できる。
【００９５】
例示的な実施例において、命令を含むメモリ１１０４などの、命令を含む非一時的なコンピュータ可読記憶媒体をさらに提供し、前記命令は、装置１１００のプロセッサ１１２０によって実行されることにより、上記の方法を完了することができる。例えば、非一時的なコンピュータ可読記憶媒体は、ＲＯＭ、ランダムアクセスメモリ（ＲＡＭ）、ＣＤ−ＲＯＭ、磁気テープ、フロッピディスクおよび光学データ記憶装置などであり得る。
【００９６】
図１２は、一例示的な実施例による情報決定装置を示すブロック図である。例えば、装置１２００は、基地局として提供されてもよい。図１２を参照すると、装置１２００は、処理コンポーネント１２２２、無線送信／受信コンポーネント１２２４、アンテナコンポーネント１２２６、および無線インターフェース固有の信号処理部分を含み、処理コンポーネント１２２２は、１つまたは複数のプロセッサをさらに含み得る。
【００９７】
処理コンポーネント１２２２のうちの１つのプロセッサは、
無人機（ＵＡＶ）によって報告される無人機飛行経路情報を受信し、前記無人機飛行経路情報の内容は、ＵＡＶの経路定位点、飛行速度、飛行高度、無人機飛行経路情報の報告時間、および無人機飛行経路情報を報告する時の無人機の位置と高度のうちの少なくとも１つを含み、
無人機飛行経路情報に従って飛行関連情報を決定するように構成され、前記飛行関連情報は、ＵＡＶの飛行経路、ハンドオーバされるサービング基地局の識別子、およびハンドオーバ期間のうちの少なくとも１つを含む。
【００９８】
例示的な実施例において、命令を含む非一時的なコンピュータ可読記憶媒体をさらに提供し、前記命令は、装置１２００の処理コンポーネント１２２２によって実行されることにより、上記の情報決定方法を完了することができる。例えば、非一時的なコンピュータ可読記憶媒体は、ＲＯＭ、ランダムアクセスメモリ（ＲＡＭ）、ＣＤ−ＲＯＭ、磁気テープ、フロッピディスクおよび光学データ記憶装置などであり得る。
【００９９】
装置の実施例において、それらは基本的に方法の実施例に対応するので、関連する部分は方法の実施例の説明の部分を参照することができる。上記で説明された装置の実施例は例示的なものに過ぎず、ここで、前記別個のコンポーネントとして説明されたユニットは、物理的に分離されていてもされなくてもよく、ユニットとして表示されたコンポーネントは、物理的ユニットでであってもなくてもよい。つまり、１箇所に配置されてもよく、複数のネットワークユニットに分散されてもよい。実際の需要に応じて、その中のモジュールの一部または全部を選択して本実施例における技術的解決策の目的を達成することができる。当業者は、創造的な努力なしに、理解して実施することができる。
【０１００】
本明細書において、「第１」や「第２」などの関係用語は、あるエンティティまたは操作を別のエンティティまたは操作から区別するためにのみ使用され、これらのエンティティまたは操作間のそのような実際の関係または順序を必ずしも必要とするか暗示するものではないことに留意されたい。「備える」、「含む」、またはそれらの他の変形という用語は、非排他的な包含をカバーすることを意図しているので、一連の要素を含むプロセス、方法、物品または機器は、それらの要素だけでなく、明示的に列挙されていない他の要素、または、そのようなプロセス、方法、物品、または機器の固有の要素をさらに含む。特に限定されていない場合、「…を含む」という文で定義された要素は、その要素を含むプロセス、方法、物品、または機器に、他の同じ要素があることを排除するものではない。
【０１０１】
当業者は、明細書を参照して、本明細書に開示される発明を実施した後、本開示の他の実施形態を容易に想到し得るであろう。本出願は、本開示の任意の変形、応用または適応性変化を網羅することを意図し、これらの変形、応用または適応性変化は、本開示の普通の原理に準拠し、本開示に開示されていない本技術分野における公知常識または従来の技術的手段を含む。明細書と実施例は、例示としてのみ考慮され、本開示の真の範囲及び思想は添付の特許請求の範囲によって示される。
【０１０２】
本開示は、前述に既に説明し、図面に示した正確な構造に限定されるものではなく、その範囲から逸脱することなく様々な修正および変更を行うことができることを理解されたい。本開示の範囲は、添付の特許請求の範囲によってのみ制限される。
【図１】
2021521562.tif 000003
【図２】
2021521562.tif 000004
【図３】
2021521562.tif 000005
【図４】
2021521562.tif 000006
【図５】
2021521562.tif 000007
【図６】
2021521562.tif 000008
【図７】
2021521562.tif 000009
【図８】
2021521562.tif 000010
【図９】
2021521562.tif 000011
【図１０】
2021521562.tif 000012
【図１１】
2021521562.tif 000013
【図１２】
2021521562.tif 000014
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
無人機（ＵＡＶ）に適用される、飛行経路情報の報告方法であって、
無人機飛行経路情報の内容を決定することであって、前記内容は、前記ＵＡＶの経路定位点、飛行高度、および前記無人機飛行経路情報の報告時間を含むことと、
無線リソース制御（ＲＲＣ）シグナリングのＵＥ情報応答フィールドを介して、前記無人機飛行経路情報を基地局に報告することと、を含み、
前記ＵＡＶの経路定位点は、事前に計画された無人機の飛行ルートの定位点であることを特徴とする、前記飛行経路情報の報告方法。
【請求項２】
前記内容は、前記無人機飛行経路情報の伝送が完了したか否かを指示する指示ビットをさらに含み、前記方法は、
前記指示ビットに従って統計された前記無人機飛行経路情報の伝送データ量がプリセットされた閾値より大きい場合、前記基地局に関連する部分的な飛行経路情報を前記基地局に送信することをさらに含むことを特徴とする、
請求項１に記載の飛行経路情報の報告方法。
【請求項３】
前記飛行経路情報の報告方法は、
無人機飛行経路情報に従って飛行関連情報を決定することをさらに含み、前記飛行関連情報は、ＵＡＶの飛行経路、ハンドオーバされるサービング基地局の識別子を含むことを特徴とする、
請求項１に記載の飛行経路情報の報告方法。
【請求項４】
基地局に適用される、情報決定方法であって、
無線リソース制御（ＲＲＣ）シグナリングのＵＥ情報応答フィールドを介して、無人機（ＵＡＶ）によって報告される無人機飛行経路情報を受信することであって、前記無人機飛行経路情報の内容は、前記ＵＡＶの経路定位点、飛行高度、および前記無人機飛行経路情報の報告時間を含むことと、
前記無人機飛行経路情報に従って飛行関連情報を決定することであって、前記飛行関連情報は、前記ＵＡＶの飛行経路、ハンドオーバされるサービング基地局の識別子、およびハンドオーバ期間のうちの少なくとも１つを含むことと、を含み、
前記ＵＡＶの経路定位点は、事前に計画された無人機の飛行ルートの定位点であることを特徴とする、前記情報決定方法。
【請求項５】
前記無人機飛行経路情報の内容が前記ＵＡＶの経路定位点を含む場合、前記無人機飛行経路情報に従って飛行関連情報を決定することは、
前記無人機飛行経路情報に従って、前記ＵＡＶの飛行経路を決定することを含むことを特徴とする、
請求項４に記載の情報決定方法。
【請求項６】
前記無人機飛行経路情報の内容が前記ＵＡＶの飛行高度を含む場合、前記無人機飛行経路情報に従って飛行関連情報を決定することは、
前記無人機飛行経路情報に従って、前記ハンドオーバされるサービング基地局の識別子を決定することを含むことを特徴とする、
請求項４に記載の情報決定方法。
【請求項７】
無人機であって、
プロセッサと、
プロセッサ実行可能な命令を記憶するように構成されるメモリと、を備え、
前記プロセッサは、
無人機飛行経路情報の内容を決定し、前記内容は、前記ＵＡＶの経路定位点、飛行高度、および前記無人機飛行経路情報の報告時間を含み、
無線リソース制御（ＲＲＣ）シグナリングのＵＥ情報応答フィールドを介して、前記無人機飛行経路情報を基地局に報告するように構成され、前記ＵＡＶの経路定位点は、事前に計画された無人機の飛行ルートの定位点であることを特徴とする、前記無人機。
【請求項８】
基地局であって、
プロセッサと、
プロセッサ実行可能な命令を記憶するように構成されるメモリと、を備え、
前記プロセッサは、
無人機（ＵＡＶ）によって報告される無人機飛行経路情報を受信し、前記無人機飛行経路情報の内容は、前記ＵＡＶの経路定位点、飛行高度、および前記無人機飛行経路情報の報告時間を含み、
前記無人機飛行経路情報に従って飛行関連情報を決定するように構成され、前記飛行関連情報は、前記ＵＡＶの飛行経路、ハンドオーバされるサービング基地局の識別子、およびハンドオーバ期間のうちの少なくとも１つを含み、
前記ＵＡＶの経路定位点は、事前に計画された無人機の飛行ルートの定位点であることを特徴とする、前記基地局。
【手続補正２】
【補正対象書類名】明細書
【補正対象項目名】００２６
【補正方法】変更
【補正の内容】
【００２６】
本開示の実施例の第８態様によれば、コンピュータ命令が記憶されたコンピュータ可読記憶媒体を提供し、前記命令がプロセッサによって実行されると、上記の情報決定方法のステップを実現する。
例えば、本願は以下の項目を提供する。
（項目１）
無人機（ＵＡＶ）に適用される、飛行経路情報の報告方法であって、
無人機飛行経路情報の内容を決定することであって、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含むことと、
無線リソース制御（ＲＲＣ）シグナリングを介して、前記無人機飛行経路情報を基地局に報告することと、を含むことを特徴とする、前記飛行経路情報の報告方法。
（項目２）
前記内容は、前記無人機飛行経路情報の伝送が完了したか否かを指示する指示ビットをさらに含み、前記方法は、
前記指示ビットに従って統計された前記無人機飛行経路情報の伝送データ量がプリセットされた閾値より大きい場合、前記基地局に関連する部分的な飛行経路情報を前記基地局に送信することをさらに含むことを特徴とする、
項目１に記載の飛行経路情報の報告方法。
（項目３）
前記ＲＲＣシグナリングは、ユーザ機器（ＵＥ）補助情報シグナリングまたはＵＥ情報応答シグナリングを含むことを特徴とする、
項目１に記載の飛行経路情報の報告方法。
（項目４）
基地局に適用される、情報決定方法であって、
無人機（ＵＡＶ）によって報告される無人機飛行経路情報を受信することであって、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含むことと、
前記無人機飛行経路情報に従って飛行関連情報を決定することであって、前記飛行関連情報は、前記ＵＡＶの飛行経路、ハンドオーバされるサービング基地局の識別子、およびハンドオーバ期間のうちの少なくとも１つを含むことと、を含むことを特徴とする、前記情報決定方法。
（項目５）
前記無人機飛行経路情報の内容が前記ＵＡＶの経路定位点を含む場合、前記無人機飛行経路情報に従って飛行関連情報を決定することは、
前記無人機飛行経路情報に従って、前記ＵＡＶの飛行経路を決定することを含むことを特徴とする、
項目４に記載の情報決定方法。
（項目６）
前記無人機飛行経路情報の内容が、前記ＵＡＶの飛行速度、および前記無人機飛行経路情報を報告する時の前記無人機の位置と高度を含む場合、前記無人機飛行経路情報に従って飛行関連情報を決定することは、
前記無人機飛行経路情報に従って、前記ハンドオーバされるサービング基地局の識別子および前記ハンドオーバ期間を決定することを含むことを特徴とする、
項目４に記載の情報決定方法。
（項目７）
前記無人機飛行経路情報の内容が前記ＵＡＶの飛行高度を含む場合、前記無人機飛行経路情報に従って飛行関連情報を決定することは、
前記無人機飛行経路情報に従って、前記ハンドオーバされるサービング基地局の識別子を決定することを含むことを特徴とする、
項目４に記載の情報決定方法。
（項目８）
前記無人機飛行経路情報の内容が、前記ＵＡＶの飛行速度、前記報告時間、および前記無人機飛行経路情報を報告する時の前記ＵＡＶの位置を含む場合、前記無人機飛行経路情報に従って飛行関連情報を決定することは、
前記無人機飛行経路情報に従って、前記無人機飛行経路情報を報告した後の前記ＵＡＶの飛行経路を決定することを含むことを特徴とする、
項目４に記載の情報決定方法。
（項目９）
無人機（ＵＡＶ）に適用される、飛行経路情報の報告装置であって、
無人機飛行経路情報の内容を決定するように構成される決定モジュールであって、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含む、決定モジュールと、
無線リソース制御（ＲＲＣ）シグナリングを介して、前記決定モジュールによって決定された前記無人機飛行経路情報を基地局に報告するように構成される報告モジュールと、を備えることを特徴とする、前記飛行経路情報の報告装置。
（項目１０）
前記内容は、前記無人機飛行経路情報の伝送が完了したか否かを指示する指示ビットをさらに含み、前記装置は、
前記指示ビットに従って統計された前記無人機飛行経路情報の伝送データ量がプリセットされた閾値より大きい場合、前記基地局に関連する部分的な飛行経路情報を前記基地局に送信するように構成される送信モジュールをさらに備えることを特徴とする、
項目９に記載の飛行経路情報の報告装置。
（項目１１）
前記ＲＲＣシグナリングは、ＵＥ補助情報シグナリングまたはＵＥ情報応答シグナリングを含むことを特徴とする、
項目９に記載の飛行経路情報の報告装置。
（項目１２）
基地局に適用される、情報決定装置であって、
無人機（ＵＡＶ）によって報告される無人機飛行経路情報を受信するように構成される受信モジュールであって、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含む、受信モジュールと、
前記受信モジュールによって受信された前記無人機飛行経路情報に従って、飛行関連情報を決定するように構成される情報決定モジュールであって、前記飛行関連情報は、前記ＵＡＶの飛行経路、ハンドオーバされるサービング基地局の識別子、およびハンドオーバ期間のうちの少なくとも１つを含む、情報決定モジュールと、を備えることを特徴とする、前記情報決定装置。
（項目１３）
前記無人機飛行経路情報の内容が前記ＵＡＶの経路定位点を含む場合、前記情報決定モジュールは、
前記無人機飛行経路情報に従って、前記ＵＡＶの飛行経路を決定するように構成される第１決定サブモジュールを備えることを特徴とする、
項目１２に記載の情報決定装置。
（項目１４）
前記無人機飛行経路情報の内容が、前記ＵＡＶの飛行速度、および前記無人機飛行経路情報を報告する時の前記無人機の位置と高度を含む場合、前記情報決定モジュールは、
前記無人機飛行経路情報に従って、前記ハンドオーバされるサービング基地局の識別子および前記ハンドオーバ期間を決定するように構成される第２決定サブモジュールを備えることを特徴とする、
項目１２に記載の情報決定装置。
（項目１５）
前記無人機飛行経路情報の内容が前記ＵＡＶの飛行高度を含む場合、前記情報決定モジュールは、
前記無人機飛行経路情報に従って、前記ハンドオーバされるサービング基地局の識別子を決定するように構成される第３決定サブモジュールを備えることを特徴とする、
項目１２に記載の情報決定装置。
（項目１６）
前記無人機飛行経路情報の内容が、前記ＵＡＶの飛行速度、前記報告時間、および前記無人機飛行経路情報を報告する時の前記ＵＡＶの位置を含む場合、前記情報決定モジュールは、
前記無人機飛行経路情報に従って、前記無人機飛行経路情報を報告した後の前記ＵＡＶの飛行経路を決定するように構成される第４決定サブモジュールを備えることを特徴とする、
項目１２に記載の情報決定装置。
（項目１７）
無人機であって、
プロセッサと、
プロセッサ実行可能な命令を記憶するように構成されるメモリと、を備え、
前記プロセッサは、
無人機飛行経路情報の内容を決定し、前記内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含み、
無線リソース制御（ＲＲＣ）シグナリングを介して、前記無人機飛行経路情報を基地局に報告するように構成されることを特徴とする、前記無人機。
（項目１８）
基地局であって、
プロセッサと、
プロセッサ実行可能な命令を記憶するように構成されるメモリと、を備え、
前記プロセッサは、
無人機（ＵＡＶ）によって報告される無人機飛行経路情報を受信し、前記無人機飛行経路情報の内容は、前記ＵＡＶの経路定位点、飛行速度、飛行高度、前記無人機飛行経路情報の報告時間、および前記無人機飛行経路情報を報告する時の前記ＵＡＶの位置と高度のうちの少なくとも１つを含み、
前記無人機飛行経路情報に従って飛行関連情報を決定するように構成され、前記飛行関連情報は、前記ＵＡＶの飛行経路、ハンドオーバされるサービング基地局の識別子、およびハンドオーバ期間のうちの少なくとも１つを含むことを特徴とする、前記基地局。
（項目１９）
コンピュータ命令が記憶され、前記命令がプロセッサによって実行されると、項目１ないし３のいずれか一項に記載の飛行経路情報の報告方法のステップを実現する、コンピュータ可読記憶媒体。
（項目２０）
コンピュータ命令が記憶され、前記命令がプロセッサによって実行されると、項目４ないし８のいずれか一項に記載の情報決定方法のステップを実現する、コンピュータ可読記憶媒体。
【国際調査報告】
2021521562.tif 000015
2021521562.tif 000016
2021521562.tif 000017
2021521562.tif 000018